(57)【要約】  【課題】  高音質の音響を容易に発生させることができる複合電子機器と、それに用いる、スピーカーカートリッジおよび電子機器を提供する。  【解決手段】  複合電子機器は、電子機器３８とスピーカーカートリッジ２６を有する。スピーカーカートリッジ２６は、振動体１２ａ，励振器１１，第１筐体１０，第１コネクタ２０を有する。振動体１２ａは、第１主面１２ｂ，第２主面１２ｃを有し、第１主面１２ｂと第１筐体１０で第１空間２１ａが形成され、第２主面１２ｃと第１筐体１０で第２空間２１ｂが形成される。電子機器３８は、電子回路６０，第２筐体２５，第２コネクタ３０を有し、第２筐体２５で囲まれた第３空間３１が形成されている。励振器１１と電子回路６０とが電気的に接続され、第１筐体１０の第１開口２２を介して第１空間２１ａと外部空間が接続され、第１筐体１０の第２開口を介して第２空間２１ｂと第３空間３１が接続される。【選択図】  図２
2015115608.tif 000002
【特許請求の範囲】
【請求項１】
電子機器と、該電子機器に着脱可能に接続されたスピーカーカートリッジとを有しており、
前記スピーカーカートリッジは、
振動体と、
該振動体に取り付けられた励振器と、
前記振動体を取り囲んで内部に収容する第１筐体と、
前記励振器と電気的に接続された第１コネクタと、
を有しており、
前記振動体は、互いに反対側の表面である第１主面および第２主面を有しており、
前記振動体の前記第１主面と前記第１筐体とで囲まれた第１空間と、前記振動体の前記第２主面と前記第１筐体とで囲まれた第２空間とを有しており、
前記電子機器は、
電子回路と、該電子回路に接続された第２コネクタと、第２筐体と、を有しており、
前記第２筐体は内部に第３空間を有しており、
前記第１コネクタと前記第２コネクタとが接続されて、前記励振器と前記電子回路とが電気的に接続されており、
前記第１筐体における前記第１空間に接する部分に第１開口が設けられており、前記第１空間と外部空間とが、前記第１開口を介して接続されており、
前記第１筐体における前記第２空間に接する部分に第２開口が設けられており、前記第２空間と前記第３空間とが、前記第２開口を介して接続されている
ことを特徴とする複合電子機器。
【請求項２】
前記第２空間および前記第３空間と、前記外部空間と、を遮断する遮音部材が、前記第１筐体と前記第２筐体との間に設けられており、
前記遮音部材は、前記第１筐体を構成する材料および前記第２筐体を構成する材料よりも弾性率が小さい材料を用いて構成されている
ことを特徴とする請求項１に記載の複合電子機器。
【請求項３】
前記第１筐体を前記第２筐体に着脱可能に接合する接合部が、前記第１筐体および前記第２筐体の少なくとも一方に設けられていることを特徴とする請求項１または請求項２に記載の複合電子機器。
【請求項４】
前記第２筐体にスロットが設けられており、該スロットに前記スピーカーカートリッジが挿入されていることを特徴とする請求項１乃至請求項３のいずれかに記載の複合電子機器。
【請求項５】
前記第２開口および前記第１コネクタは、前記スロットの内部に位置しており、
前記第１開口は、前記スピーカーカートリッジが前記スロットに挿入された状態で前記外部空間に露出している
ことを特徴とする請求項４に記載の複合電子機器。
【請求項６】
前記第２筐体に凹部が設けられており、前記第１筐体の少なくとも一部が前記凹部に嵌め込まれていることを特徴とする請求項１乃至請求項３のいずれかに記載の複合電子機器。
【請求項７】
振動体と、
該振動体に取り付けられた励振器と、
前記振動体を取り囲んで内部に収容する第１筐体と、
前記励振器と電気的に接続された第１コネクタと、
を有しており、
前記振動体は、互いに反対側の表面である第１主面および第２主面を有しており、
前記振動体の前記第１主面と前記第１筐体とで囲まれた第１空間と、
前記振動体の前記第２主面と前記第１筐体とで囲まれた第２空間と、
前記第１筐体における前記第１空間に接する部分に設けられた第１開口と、
前記第１筐体における前記第２空間に接する部分に設けられた第２開口と、
を有していることを特徴とするスピーカーカートリッジ。
【請求項８】
前記第２開口を取り囲む遮音部材が前記第１筐体に設けられており、
前記遮音部材は、前記第１筐体を構成する材料よりも弾性率が小さい材料を用いて構成されている
ことを特徴とする請求項７に記載のスピーカーカートリッジ。
【請求項９】
前記第１筐体に接合部が設けられていることを特徴とする請求項７または請求項８に記載のスピーカーカートリッジ。
【請求項１０】
互いに反対の方向を第１方向および第２方向とすると、
前記第１コネクタは、前記第１筐体における前記第１方向の端部に設けられており、
前記第１開口は、前記第１筐体における前記第２方向の端部に設けられている
ことを特徴とする請求項７乃至請求項９のいずれかに記載のスピーカーカートリッジ。
【請求項１１】
電子回路と、該電子回路に接続された第２コネクタと、第２筐体と、を有しており、
前記第２筐体は、内部に設けられた第３空間と、該第３空間に接する第３開口とを有している
ことを特徴とする電子機器。
【請求項１２】
前記第３開口を取り囲む遮音部材が前記第２筐体に設けられており、
前記遮音部材は、前記第２筐体を構成する材料よりも弾性率が小さい材料を用いて構成されている
ことを特徴とする請求項１１に記載の電子機器。
【請求項１３】
前記第２筐体に接合部が設けられていることを特徴とする請求項１１または請求項１２に記載の電子機器。
【発明の詳細な説明】
【技術分野】
【０００１】
本発明は、複合電子機器，スピーカーカートリッジおよび電子機器に関するものである。
【背景技術】
【０００２】
従来、圧電素子を取り付けた振動板を振動させて音響を発生させるスピーカーを筐体内部に搭載した電子機器が知られている（例えば、特許文献１を参照。）。
【先行技術文献】
【特許文献】
【０００３】
【特許文献１】特開２０１３−１９２１７５号公報
【発明の概要】
【発明が解決しようとする課題】
【０００４】
しかしながら、上述した電子機器は、振動板が、電子機器の筐体内部に配置されて、電子機器の筐体で囲まれていた。これにより、振動板から発生した音響が電子機器の筐体内部で反射して共鳴が生じるため、電子機器から外部へ放射する音響の音質が、複雑な電子機器の筐体内部の構造に大きく左右されていた。このため、電子機器から発生する音響の音質を向上させためには、複雑で且つ自由度が低い電子機器の筐体において音響設計をする必要があり、非常に難しかった。【０００５】
本発明はこのような従来の技術における問題点に鑑みて案出されたものであり、その目的は、高音質の音響を容易に発生させることができる複合電子機器と、それに用いる、スピーカーカートリッジおよび電子機器を提供することにある。
【課題を解決するための手段】
【０００６】
本発明の複合電子機器は、電子機器と、該電子機器に着脱可能に接続されたスピーカーカートリッジとを有しており、前記スピーカーカートリッジは、振動体と、該振動体に取り付けられた励振器と、前記振動体を取り囲んで内部に収容する第１筐体と、前記励振器と電気的に接続された第１コネクタと、を有しており、前記振動体は、互いに反対側の表面である第１主面および第２主面を有しており、前記振動体の前記第１主面と前記第１筐体とで囲まれた第１空間と、前記振動体の前記第２主面と前記第１筐体とで囲まれた第２空間とを有しており、前記電子機器は、電子回路と、該電子回路に接続された第２コネクタと、第２筐体と、を有しており、前記第２筐体は内部に第３空間を有しており、前記第１コネクタと前記第２コネクタとが接続されて、前記励振器と前記電子回路とが電気的に接続されており、前記第１筐体における前記第１空間に接する部分に第１開口が設けられており、前記第１空間と外部空間とが、前記第１開口を介して接続されており、前記第１筐体における前記第２空間に接する部分に第２開口が設けられており、前記第２空間と前記第３空間とが、前記第２開口を介して接続されている。【０００７】
本発明のスピーカーカートリッジは、振動体と、該振動体に取り付けられた励振器と、前記振動体を取り囲んで内部に収容する第１筐体と、前記励振器と電気的に接続された第１コネクタと、を有しており、前記振動体は、互いに反対側の表面である第１主面および第２主面を有しており、前記振動体の前記第１主面と前記第１筐体とで囲まれた第１空間と、前記振動体の前記第２主面と前記第１筐体とで囲まれた第２空間と、前記第１筐体における前記第１空間に接する部分に設けられた第１開口と、前記第１筐体における前記第２空間に接する部分に設けられた第２開口と、を有している。【０００８】
本発明の電子機器は、電子回路と、該電子回路に接続された第２コネクタと、第２筐体と、を有しており、前記第２筐体は、内部に設けられた第３空間と、該第３空間に接する第３開口とを有している。
【発明の効果】
【０００９】
本発明の複合電子機器は、高音質の音響を容易に発生させることができる。本発明のスピーカーカートリッジは、高音質の音響を発生させる複合電子機器を容易に実現することができる。本発明の電子機器は、高音質の音響を発生させる複合電子機器を容易に実現することができる。
【図面の簡単な説明】
【００１０】
【図１】本発明の第１実施形態のスピーカーカートリッジを模式的に示す斜視図である。
【図２】図１のＡ−Ｂ線断面図である。
【図３】本発明の第１実施形態のスピーカーカートリッジのパネル１７を取り除いた状態を模式的に示す＋ｚ方向から見た平面図である。
【図４】本発明の第１実施形態のスピーカーカートリッジのパネル１７およびスペーサー１５を取り除いた状態を模式的に示す＋ｚ方向から見た平面図である。
【図５】本発明の第１実施形態のスピーカーカートリッジを模式的に示す−ｚ方向から見た平面図である。
【図６】本発明の第１実施形態のスピーカーカートリッジのパネル１８を取り除いた状態を模式的に示す−ｚ方向から見た平面図である。
【図７】本発明の第１実施形態のスピーカーカートリッジのパネル１８、スペーサー１６および樹脂層１３を取り除いた状態を模式的に示す−ｚ方向から見た平面図である。
【図８】本発明の第２実施形態のスピーカーカートリッジを模式的に示す斜視図である。
【図９】本発明の第２実施形態のスピーカーカートリッジを模式的に示す平面図である。
【図１０】本発明の第３実施形態のスピーカーカートリッジを模式的に示す斜視図である。
【図１１】本発明の第３実施形態のスピーカーカートリッジのリフレクタ２４を取り除いた状態を模式的に示す斜視図である。
【図１２】本発明の第３実施形態のスピーカーカートリッジを模式的に示す平面図である。
【図１３】本発明の第４実施形態の複合電子機器を模式的に示す＋ｚ方向側から見た平面図である。
【図１４】本発明の第４実施形態の複合電子機器を模式的に示す＋ｘ方向側から見た平面図である。
【図１５】本発明の第４実施形態の複合電子機器の一部分を模式的に示す断面図である。
【図１６】本発明の第５実施形態の複合電子機器を模式的に示す平面図である。
【図１７】本発明の第６実施形態の複合電子機器を模式的に示す平面図である。
【図１８】本発明の第７実施形態の複合電子機器を模式的に示す平面図である。
【図１９】本発明の第８実施形態の複合電子機器を模式的に示す平面図である。
【図２０】本発明の第８実施形態の複合電子機器の一部分を模式的に示す断面図である。
【図２１】本発明の第５実施形態の複合電子機器から発生する音響における音圧レベルの周波数特性を示すグラフである。
【発明を実施するための形態】
【００１１】
以下、本発明の実施形態である複合電子機器，スピーカーカートリッジおよび電子機器を添付の図面を参照しつつ詳細に説明する。なお、図面においては、互いに直交するｘ軸、ｙ軸、ｚ軸を用いて方向を示している。
【００１２】
（第１実施形態）
図１は、本発明の第１実施形態のスピーカーカートリッジを模式的に示す斜視図である。図２は、図１のＡ−Ｂ線断面図である。図３，図４は、本発明の第１実施形態のスピーカーカートリッジを模式的に示す、＋ｚ方向から見た平面図である。なお、図３は、パネル１７を取り除いた状態を示しており、図４は、パネル１７およびスペーサー１５を取り除いた状態を示している。図５〜図７は、本発明の第１実施形態のスピーカーカートリッジを模式的に示す、−ｚ方向から見た平面図である。なお、図６は、パネル１８を取り除いた状態を示しており、図７は、パネル１８、スペーサー１６および樹脂層１３を取り除いた状態を示している。
【００１３】
本実施形態のスピーカーカートリッジは、図１〜図７に示すように、励振器１１と、フィルム１２と、樹脂層１３と、フレーム１４ａおよびフレーム１４ｂと、スペーサー１５およびスペーサー１６と、パネル１７およびパネル１８と、第１コネクタ２０とを有している。
【００１４】
フレーム１４ａおよびフレーム１４ｂは、それぞれ矩形の枠状の形状を有している。フレーム１４ａおよびフレーム１４ｂは、例えば、厚み１００〜１０００μｍのステンレス製のものを好適に用いることができるが、材質および厚みは特に限定されるものではなく、フィルム１２および樹脂層１３よりも変形し難いものであれば良い。例えば、硬質樹脂、プラスチック、エンジニアリングプラスチック、セラミックス等を用いてフレーム１４ａおよびフレーム１４ｂを形成することができる。
【００１５】
フィルム１２は、フィルム状（薄板状）の形状を有しており、例えば、ＰＥＴ（ポリエチレンテレフタレート）、ポリイミド等の樹脂を用いて形成することができる。また、フィルム１２の厚みは、例えば、１０〜２００μｍとされる。そして、フィルム１２は、面方向（ｘ軸方向およびｙ軸方向）に張力をかけられた状態で、上下の主面（ｚ軸方向の両端面）の周縁部をフレーム１４ａおよびフレーム１４ｂで挟まれて固定されており、フレーム１４ａおよびフレーム１４ｂによって振動可能に支持されている。そして、フィルム１２における、フレーム１４ａおよびフレーム１４ｂの内側に位置する、フレーム１４ａおよびフレーム１４ｂに挟まれていない部分によって、自由に振動できる振動体１２ａが構成されている。すなわち、振動体１２ａは、矩形の平板状（フィルム状）の形状を有している。また、振動体１２ａは、＋ｚ方向側の表面である第１主面１２ｂと、−ｚ方向側の表面である第２主面１２ｃとを有している。
【００１６】
なお、フレーム１４ａおよびフレーム１４ｂの形状は、矩形状に限定されるものではなく、円形や菱形であってもよい。また、フレーム１４ｂを有さない場合には、例えば、フレーム１４ａの＋ｚ方向の表面にフィルム１２を接着すれば良く、また、フレーム１４ａを有さない場合には、例えば、フレーム１４ｂの−ｚ方向の表面にフィルム１２を接着すればよい。また、振動体１２ａは、平たい形状（厚みが小さく面積が大きい形状）、すなわち、薄板状やフィルム状の形状であれば良いため、フィルム１２に代えて、薄板状の金属や、紙等によって振動体１２ａを構成することができる。
【００１７】
励振器１１は、振動体１２ａの第２主面１２ｃに取り付けられており、振動体１２ａと一体化されている。励振器１１は、上下の主面（ｚ軸方向の両端面）が矩形である板状の形状を有する圧電素子である。詳細な図示を省略するが、励振器１１は、圧電セラミックスからなる圧電体層と内部電極層とを交互に積層してなる積層体と、この積層体の上下面（ｚ軸方向の両端面）に形成された表面電極層と、積層体の長手方向（ｘ軸方向）の両端面にそれぞれ設けられた一対の端子電極とで構成されている。なお、表面電極および内部電極層は、積層体の長手方向（ｘ軸方向）の両端面に交互に引き出されており、それぞれ端子電極に接続されている。そして、図示せぬ配線を介して一対の端子電極に電気信号が加えられる。
【００１８】
励振器１１は、バイモルフ型の圧電素子とされており、電気信号が入力されたときに、任意の瞬間において、厚み方向（ｚ軸方向）における一方側と他方側とで伸縮が逆になるようにされている。よって、励振器１１は、電気信号が入力されるとｚ軸方向に屈曲振動し、自身が振動することによって振動体１２ａを振動させる。そして、振動体１２ａが振動することによって音響が発生する。
【００１９】
なお、励振器１１として、例えば、電気信号が入力されて伸縮振動する圧電素子と金属板とを張り合わせて構成したモノモルフ型の振動素子を用いても構わない。また、励振器１１のフィルム１２側の主面とフィルム１２とは、例えば、エポキシ系樹脂、シリコーン系樹脂、ポリエステル系樹脂等の既知の接着剤や、両面テープ等によって接着されている。
【００２０】
樹脂層１３は、励振器１１を埋設するように、フレーム１４ａの内側の全体に渡って形成されており、振動体１２ａ，励振器１１と一体化されている。樹脂層１３は、既知の種々の材料を用いて形成することができる。例えば、アクリル樹脂、シリコーン樹脂等の樹脂や、あるいはゴム等を用いることができる。また、樹脂層１３の厚みは、励振器１１を完全に覆う程度の厚みであることが望ましいが、フィルム１２の少なくとも一部を被覆するように形成されていれば良い。なお、樹脂層１３は、スピーカーカートリッジから発生する音響の音質を高める効果があるが、必須ではなく、場合によっては無くても構わない。
【００２１】
スペーサー１６は、フレーム１４ａの−ｚ方向の表面に接合されている。スペーサー１６は、フレーム１４ａと同じ形状（矩形の枠状）を有しており、厚さ（ｚ軸方向の寸法）が大きい以外はフレーム１４ａと同じ寸法を有している。スペーサー１５は、フレーム１４ｂの＋ｚ方向の表面に接合されている。スペーサー１５は、フレーム１４ｂと同じ矩形の枠状の形状から、＋ｘ方向の一辺を取り除いた形状、すなわち、アルファベットの“Ｕ”のような形状を有している。
【００２２】
パネル１７は、矩形の平板状の形状を有しており、−ｚ方向側の主面の周縁がスペーサー１５の＋ｚ方向側の表面に接合されている。そして、振動体１２ａの第１主面１２ｂと、フレーム１４ｂと、スペーサー１５と、パネル１７とによって、第１空間２１ａが形成されている。また、第１空間２１ａの＋ｘ方向側の端部には、フレーム１４ｂと、スペーサー１５と、パネル１７とによって囲まれた矩形状の第１開口２２が形成されており、第１空間２１ａと外部空間とが第１開口２２を介して接続されている。
【００２３】
パネル１８は、矩形の平板状の形状を有しており、＋ｚ方向側の主面の周縁がスペーサー１６の−ｚ方向側の表面に接合されている。そして、振動体１２ａの第２主面１２ｃと、フレーム１４ａと、スペーサー１６と、パネル１８とによって、第２空間２１ｂが形成されている。また、パネル１８の−ｘ方向側寄りの部分には、複数の貫通孔２３が列状に形成されている。そして、複数の貫通孔２３によって、第２空間２１ｂに接続する第２開口が構成されている。
【００２４】
このように、フィルム１２におけるフレーム１４ａおよびフレーム１４ｂに挟まれた部分と、フレーム１４ａおよびフレーム１４ｂと、スペーサー１５およびスペーサー１６と、パネル１７およびパネル１８とによって、振動体１２ａを取り囲む第１筐体１０が構成されている。なお、第１筐体１０は、直方体の箱状の形状を有している。
【００２５】
このようなスペーサー１５およびスペーサー１６およびパネル１７およびパネル１８は、樹脂，金属，セラミクス，ガラス，木材等の種々の材料を用いて形成することができる。また、スペーサー１５およびスペーサー１６およびパネル１７およびパネル１８は、振動体１２ａとともに第１空間２１ａおよび第２空間２１ｂを形成する機能を有していれば良いため、矩形状に限定されるものではなく、例えば、６角形状や、楕円形状など、他の形状であっても構わない。
【００２６】
第１コネクタ２０は、第１筐体１０の−ｘ方向側の端部に取り付けられており、図示せぬ配線によって励振器１１に接続されている。そして、スピーカーカートリッジを電子機器に挿入したときに、電子機器に備え付けられているコネクタと第１コネクタ２０とが接続され、これによって、スピーカーカートリッジと電子機器とが電気的に接続される。なお、第１コネクタ２０は、スピーカーカートリッジと電子機器とを電気的に接続する機能を有していれば良く、既知の種々のコネクタを第１コネクタ２０として使用することができる。
【００２７】
また、第１筐体１０には、接合部３４が設けられている。接合部３４は、第１筐体１０の−ｘ方向側の端部に設けられており、−ｘ方向の端部が膨らんだ棒状の形状を有している。接合部３４は、第１筐体１０を電子機器に着脱可能に接合するために用いられる。
【００２８】
そして、本実施形態のスピーカーカートリッジは、例えば、第１筐体１０の＋ｘ方向側の表面のみが電子機器の外部に露出するように、第１コネクタ２０が設けられた−ｘ方向側から電子機器のスロット等に挿入される。これにより、第１開口２２は電子機器の外部に露出し、複数の貫通孔２３で構成された第２開口は電子機器の内部空間に接続される。そして、電子機器からの電気信号が、第１コネクタ２０および図示せぬ配線を介して励振器１１に供給されて励振器１１が振動し、励振器１１の振動によって振動体１２ａが振動して音響が発生する。振動体１２ａの第１主面１２ｂ側で発生した音響は、第１空間２１ａ内で共鳴するとともに、第１開口２２を介して電子機器の外部へ直接放射される。振動体１２ａの第２主面１２ｃ側で発生した逆位相の音響は、複数の貫通孔２３で構成された第２開口を介して電子機器の内部空間へ放射される。これにより、スピーカーカートリッジおよび電子機器からなる複合電子機器から、高音質の音響を容易に発生させることができる。
【００２９】
振動体１２ａのみが電子機器の内部に直接配置される場合には、振動体１２ａの第１主面１２ｂ側で発生する音響と、振動体１２ａの第２主面１２ｃ側で発生する逆位相の音響とが、電子機器の内部空間において混ざり合って打ち消し合うという問題が生じる。また、振動体１２ａから発生した音響が電子機器の内部空間で共鳴するため、電子機器の内部空間が共鳴空間となる。このため、電子機器の筐体の形状，材質や、電子機器の筐体内部に配置された種々の部品の配置，形状，材質等の影響によって音質が変化するため、音響設計が非常に難しくなる。
【００３０】
これに対し、本実施形態のスピーカーカートリッジは、振動体１２ａを取り囲んで共鳴空間を形成する第１筐体１０を有しているので、電子機器の筐体の形状，材質や、電子機器の筐体内部に配置された種々の部品の配置，形状，材質等の影響を殆ど受けることなく、振動体１２ａや第１筐体１０の形状および材質のみによって音響設計をすることができる。そして、第１筐体１０は、電子機器の筐体と比較して強度が低くても良く、また、音響設計以外の他の要因による制限も少ない。このため、音響設計のみを考慮して、第１筐体１０の大きさ，形状，材質等を自由に設定することができる。そして、電子機器の外部の空間と第１空間２１ａとを接続する第１開口２２が第１筐体１０に形成されており、振動体１２ａの第１主面１２ｂ側で発生した高音質の音響を、第１開口２２から電子機器の外部の空間へ直接放射することができる。第１開口２２の位置や形状および大きさも音響設計によって決定することができる。
【００３１】
また、振動体１２ａの第２主面１２ｃ側で発生した音響を、複数の貫通孔２３で構成される第２開口を介して、電子機器の内部へ放射することにより、第１主面１２ｂ側で発生した音響と第２主面１２ｃ側で発生した音響とが外部空間において混じり合って打ち消し合うことを防止することができる。第２開口が存在しない場合には、第２空間内の空気がバネの働きをして振動体１２ａの振動を阻害するのを防止するために、第２空間の体積を大きくする必要があり、スピーカーカートリッジが大型化するという問題が生じる。また、第２開口が外部空間に露出する場合には、第１主面１２ｂ側で発生した音響と第２主面１２ｃ側で発生した音響とが外部空間において混じり合って打ち消し合うことを防止するために、第２空間の体積を大きくする必要があり、スピーカーカートリッジが大型化するという問題が生じる。第２主面１２ｃ側で発生した音響が、第２開口を介して電子機器の内部へ放射されるようにすることにより、第１主面１２ｂ側で発生した音響と第２主面１２ｃ側で発生した音響とが外部空間において混じり合って打ち消し合うことを防止できるとともに、スピーカーカートリッジが大型化するのを防止することができる。なお、外部空間とは、電子機器およびスピーカーカートリッジの外部の空間であり、音を聞かせる対象が存在する空間を意味する。
【００３２】
このように、電子機器のスロットにスピーカーカートリッジを挿入して電気的に接続するだけで、高音質の音響を発生させる複合電子機器を容易に実現することができる。また、音響設計が異なり発生する音響の音質が異なる複数のスピーカーカートリッジを準備して、それらを交換することにより、複合電子機器から発生する音響の音質を容易に変化させることができる。なお、スピーカーカートリッジと電子機器とが着脱可能に接続されたものを複合電子機器と称する。複合電子機器の詳細については、第４実施形態〜第８実施形態にて説明する。
【００３３】
本実施形態のスピーカーカートリッジは、振動体１２ａと、励振器１１と、第１筐体１０と、第１コネクタ２０と、を有している。励振器１１は、振動体１２ａに取り付けられている。第１筐体１０は、振動体１２ａを取り囲んで内部に収容する。第１コネクタ２０は、励振器１１と電気的に接続されている。振動体１２ａは、互いに反対側の表面である第１主面１２ｂおよび第２主面１２ｃを有している。また、本実施形態のスピーカーカートリッジは、第１空間２１ａと、第２空間２１ｂと、第１開口２２と、第２開口とを有している。第１空間２１ａは、振動体１２ａの第１主面１２ｂと第１筐体１０とで囲まれた空間である。第２空間２１ｂは、振動体１２ａの第２主面１２ｃと第１筐体１０とで囲まれた空間である。第１開口２２は、第１筐体１０における第１空間２１ａに接する部分に設けられている。第２開口は、第１筐体１０における第２空間２１ｂに接する部分に設けられている。よって、第１空間２１ａと外部空間とが、第１開口２２を介して接続され、第２空間２１ｂと電子機器の内部空間とが第２開口を介して接続されるように、本実施形態のスピーカーカートリッジを電子機器に接続することにより、高音質の音響を発生させることができる複合電子機器を容易に実現することができる。
【００３４】
本実施形態のスピーカーカートリッジは、例えば次のようにして製造することができる。まず、圧電材料の粉末にバインダー、分散剤、可塑剤、溶剤を添加して掻き混ぜて、スラリーを作製する。圧電材料としては、鉛系、非鉛系のうちいずれでも使用することができる。次に、得られたスラリーをシート状に成形し、グリーンシートを作製する。このグリーンシートに導体ペーストを印刷して内部電極となる導体パターンを形成し、この導体パターンが形成されたグリーンシートを積層して、積層成形体を作製する。
【００３５】
次に、この積層成形体を脱脂、焼成し、所定寸法にカットすることにより積層体を得ることができる。必要に応じて、積層体の外周部を加工する。次に、積層体の積層方向の主面に、導体ペーストを印刷して表面電極層となる導体パターンを形成し、積層体の長手方向（ｘ軸方向）の両側面に、導体ペーストを印刷して一対の端子電極となる導体パターンを形成する。そして、所定の温度で電極の焼付けを行うことにより、励振器１１となる構造体を得ることができる。その後に、励振器１１に圧電性を付与するために表面電極層または一対の端子電極を通じて直流電圧を印加して、励振器１１の圧電体層の分極を行う。このようにして励振器１１を得ることができる。
【００３６】
次に、張力をかけた状態のフィルム１２の周縁を、接着剤を塗布したフレーム１４ａおよびフレーム１４ｂで挟んで固定し、接着剤を硬化させて接合する。そして、振動体１２ａの第２主面１２ｃに励振器１１を接着剤でフィルム１２に接合し、励振器１１に配線を接続する。そして、フレーム１４ａの内側に樹脂を流し込んで硬化させることにより樹脂層１３を形成する。
【００３７】
そして、予め準備したスペーサー１５およびスペーサー１６およびパネル１７およびパネル１８を粘着剤もしくは接着剤で接合して第１筐体１０を形成するとともに、第１筐体１０に第１コネクタ２０を接着剤等で接合し、第１コネクタ２０と励振器１１とを図示せぬ配線で接続する。このようにして、本実施形態のスピーカーカートリッジを得ることができる。
【００３８】
（第２実施形態）
図８は、本発明の第２実施形態のスピーカーカートリッジを模式的に示す斜視図である。図９は、本発明の第２実施形態のスピーカーカートリッジを模式的に示す、＋ｚ方向から見た平面図であり、パネル１７を取り除いた状態を示している。なお、本実施形態においては、前述した第１実施形態のスピーカーカートリッジと異なる点について説明し、同様の構成要素には同一の参照符号を付して重複する説明を省略する。
【００３９】
本実施形態の音響発生装置は、図８，図９に示すように、第１開口２２に接するフレーム１４ｂの＋ｚ方向側表面に、パネル１７の＋ｘ方向の端部の中央を支持する支持体１９が配置されている。そして、第１開口２２が、支持体１９によって、開口２２ａと開口２２ｂとに分割されている。すなわち、開口２２ａおよび開口２２ｂによって第１開口２２が構成されている。なお、その他の構成については、前述した第１実施形態のスピーカーカートリッジと同じである。
【００４０】
このような構成を有する本実施形態のスピーカーカートリッジも、前述した第１実施形態のスピーカーカートリッジと同様の効果を奏することができる。また、本実施形態のスピーカーカートリッジは、支持体１９を有していることから、パネル１７の強度が小さい場合においても、開口２２ａおよび開口２２ｂの形状を所望の形状に保つことができる。
【００４１】
（第３実施形態）
図１０は、本発明の第３実施形態のスピーカーカートリッジを模式的に示す斜視図である。図１１は、本発明の第３実施形態のスピーカーカートリッジを模式的に示す斜視図であり、リフレクタ２４を取り除いた状態を示している。図１２は、本発明の第３実施形態のスピーカーカートリッジを模式的に示す、＋ｚ方向から見た平面図である。なお、本実施形態においては、前述した第１実施形態のスピーカーカートリッジと異なる点について説明し、同様の構成要素には同一の参照符号を付して重複する説明を省略する。
【００４２】
本実施形態のスピーカーカートリッジは、図１０〜図１２に示すように、第１開口２２が形成されていた第１筐体１０の＋ｘ方向の端部にリフレクタ２４が接合されて、リフレクタ２４によって第１開口２２が塞がれている。そして、その代わりに、パネル１７の＋ｘ方向の端部に切り欠きが形成されて、パネル１７とリフレクタ２４との間に、第１開口２２ｃが形成されている。そして、第１開口２２ｃによって、外部空間と第１空間２１ａとが接続される。
【００４３】
なお、本実施形態のスピーカーカートリッジを用いる場合には、スピーカーカートリッジの電子機器への挿入深さを小さくして、第１開口２２ｃが電子機器の＋ｘ方向端部から突出するようにすれば良い。また、電子機器の筐体の第１開口２２ｃを被覆する部分を切り欠くことによって、電子機器の外部に第１開口２２ｃが露出するようにしても良い。
【００４４】
このような構成を有する本実施形態のスピーカーカートリッジも、前述した第１実施形態のスピーカーカートリッジと同様の効果を奏することができる。また、本実施形態のスピーカーカートリッジは、リフレクタ２４と第１開口２２ｃとを有することから、第１実施形態のスピーカーカートリッジと比較して、スピーカーカートリッジから発生する音響の＋ｚ方向側での音圧を高めることができる。
【００４５】
（第４実施形態）
図１３は、本発明の第４実施形態の複合電子機器を模式的に示す、＋ｚ方向側から見た平面図である。図１４は、本発明の第４実施形態の複合電子機器を模式的に示す、＋ｘ方向側から見た平面図である。図１５は、本発明の第４実施形態の複合電子機器の一部分を模式的に示す断面図である。なお、本実施形態においては、前述した第２実施形態と異なる点について説明し、同様の構成要素には、同様の符号を付して重複する説明を省略する。
【００４６】
本実施形態の複合電子機器は、図１３〜図１５に示すように、スピーカーカートリッジ２６ａと、電子機器３８ａとを有している。スピーカーカートリッジ２６ａは、前述した第２実施形態のスピーカーカートリッジである。電子機器３８ａは、第２筐体２５と、第２コネクタ３０と、電子回路６０と、を有している。
【００４７】
第２筐体２５は、直方体の箱状の外形を有しており、第２筐体２５に囲まれた第３空間３１が形成されている。そして、第３空間３１の中に、電子回路６０を含む種々の部品が収納されている。このような第２筐体２５は、樹脂，金属，セラミクス，ガラス，木材等の種々の材料を用いて形成することができる。また、第２筐体２５の形状は、直方体状に限定されるものではなく、例えば、正四面体、円錐台、球など、他の種々の形状であっても構わない。
【００４８】
第２筐体２５の＋ｘ方向の端部にはスロット２８が形成されている。スロット２８ａは、直方体状の深い凹部であり、第２筐体２５におけるスロット２８ａの内側に位置する部分には、第２コネクタ３０および接合部３５が設けられている。第２コネクタ３０は、図示せぬ配線によって電子回路６０に接続されている。接合部３５は、弾力性が大きい材料を用いて構成されており、接合部３４の−ｘ方向側の端部が挿入される凹部が、＋ｘ方向側の端部に設けられている。
【００４９】
そして、スロット２８には、＋ｘ方向側からスピーカーカートリッジ２６ａが挿入されている。電子機器３８ａの接合部３５にスピーカーカートリッジ２６ａの接合部３４が挿入されて嵌っており、これによって、スピーカーカートリッジ２６ａが電子機器３８ａに着脱可能に接合されている。また、電子機器３８ａの第２コネクタ３０にスピーカーカートリッジ２６ａの第１コネクタ２０が接続されており、これによって、電子機器３８ａの電子回路６０と、スピーカーカートリッジ２６ａの励振器１１と、が電気的に接続されている。なお、スピーカーカートリッジ２６ａの＋ｘ方向側の端部は、スロット２８ａの開口から電子機器３８ａの外部空間に露出しており、スピーカーカートリッジ２６ａの＋ｘ方向側の端部に設けられた第１開口２２（開口２２ａおよび開口２２ｂ）も外部空間に露出している。なお、外部空間とは、電子機器３８ａおよびスピーカーカートリッジ２６ａの外部の空間であり、音を聞かせる対象が存在する空間を意味する。
【００５０】
また、第２筐体２５には第３開口３２が設けられている。第３開口３２は、第２筐体２５における、第３空間３１に接する部分であり、且つ、スピーカーカートリッジ２６ａの第２開口（複数の貫通孔２３）に面する部分、に設けられている。すなわち、スピーカーカートリッジ２６ａの第２開口と、電子機器３８ａの第３開口３２と、は互いに対向するように配置されている。そして、第２開口（複数の貫通孔２３）および第３開口３２を介して、第２空間２１ｂと第３空間３１とが接続されている。よって、振動体１２ａの第２主面１２ｃ側で発生した音響は、第２開口および第３開口３２を介して、電子機器３８の内部空間である第３空間３１へ放射される。
【００５１】
また、第２筐体２５の外側の表面には、第３開口３２を連続して取り囲むように遮音部材３３が設けられている。遮音部材３３は、第１筐体１０および第２筐体２５を構成する材料よりも弾性率が小さい材料を用いて構成されており、外力によって変形しやすい。また、スピーカーカートリッジ２６ａがスロット２８ａに挿入されたときに、第１筐体１０と第２筐体２５との間に生じる間隔と比較すると、遮音部材３３の厚みの方が大きい。よって、スピーカーカートリッジ２６ａがスロット２８ａに挿入されると、遮音部材３３が変形し、第２開口および第３開口３２の周囲において、第１筐体１０と第２筐体２５との間の隙間を遮音部材３３が塞ぐことになる。よって、振動体１２ａの第２主面１２ｃ側で発生する音響が外部空間へ漏洩するのを防止することができる。
【００５２】
このような遮音部材３３は、例えば、ウレタンゴム等のゴム材料や、シリコーン樹脂等の軟質な樹脂材料などの弾力性があり変形しやすい既知の種々の材料を用いて構成することができる。特に、ウレタンフォーム等の多孔質なゴム材料を好適に用いることができる。また、遮音部材３３は、例えば接着剤のような、既知の種々の接合部材を用いて第２筐体２５に接合することができる。
【００５３】
そして、電子回路６０から励振器１１へ電気信号が供給されると、励振器１１の振動によって振動体１２ａが振動して音響が発生する。そして、振動体１２ａの第１主面１２ｂ側で発生した音響は、スピーカーカートリッジ２６ａの第１開口（開口２２ａおよび開口２２ｂ）から電子機器３８ａの外部へ放射される。また、振動体１２ａの第２主面１２ｃ側で発生した音響は、第２開口および第３開口３２を介して第３空間３１へ放射される。
【００５４】
このように、本実施形態の複合電子機器は、電子機器３８ａと、スピーカーカートリッジ２６ａとを有している。スピーカーカートリッジ２６ａは、電子機器３８ａに着脱可能に接続されている。スピーカーカートリッジ２６ａは、振動体１２ａと、励振器１１と、第１筐体１０と、第１コネクタ２０と、を有している。励振器１１は、振動体１２ａに取り付けられている。第１筐体１０は、振動体１２ａを取り囲んで内部に収容する。第１コネクタ２０は、励振器１１と電気的に接続されている。振動体１２ａは、互いに反対側の表面である第１主面１２ｂおよび第２主面１２ｃを有している。また、本実施形態の複合電子機器は、第１空間２１ａと第２空間２１ｂとを有している。第１空間２１ａは、振動体１２ａの第１主面１２ｂと第１筐体１０とで囲まれた空間である。第２空間２１ｂは、振動体１２ａの第２主面１２ｃと第１筐体１０とで囲まれた空間である。電子機器３８ａは、電子回路６０と、第２コネクタ３０と、第２筐体２５と、を有している。第２コネクタ３０は、電子回路６０に接続されている。また、電子機器３８ａは、第２筐体２５で囲まれた第３空間３１を有している。そして、第１コネクタ２０と第２コネクタ３０とが接続されて、励振器１１と電子回路６０とが電気的に接続されている。また、第１筐体１０における第１空間２１ａに接する部分に第１開口２２が設けられており、第１空間２１ａと外部空間とが、第１開口２２を介して接続されている。そして、第１筐体１０における第２空間２１ｂに接する部分に第２開口が設けられており、第２空間２１ｂと第３空間３１とが、第２開口を介して接続されている。このような構成を有する本実施形態の複合電子機器は、振動体１２ａの第１主面１２ｂ側で発生した音響と第２主面１２ｃ側で発生した音響とが外部空間において混じり合って打ち消し合うことを低減することができるので、音圧の高い音響を発生することができる。また、本実施形態の複合電子機器は、第２筐体２５の材質および内部構造が、第１開口２２から外部空間へ放射される音響に殆ど影響を与えないため、高音質の音響を容易に発生させることができる。また、本実施形態の複合電子機器は、音質の低下を抑えたままで第２空間２１ｂを小さくすることができるので、小型化することができる。また、本実施形態の複合電子機器は、スピーカーカートリッジ２６ａを、異なる音響特性を有するスピーカーカートリッジに取り替えることにより、発生する音響の音質を容易に変更することができる。
【００５５】
また、本実施形態の複合電子機器では、第２空間２１ｂおよび第３空間３１と、外部空間と、を遮断する遮音部材３３が、第１筐体１０と第２筐体２５との間に設けられており、遮音部材３３は、第１筐体１０を構成する材料および第２筐体２５を構成する材料よりも弾性率が小さい材料を用いて構成されている。これにより、振動体１２ａの第２主面１２ｃ側で発生した音響の外部空間への漏洩を低減することができるので、外部空間へ放射する音響における音圧の低下を低減することができる。
【００５６】
また、第１筐体１０を第２筐体２５に着脱可能に接合する接合部が、第１筐体１０および第２筐体２５の少なくとも一方に設けられているようにすることにより、スピーカーカートリッジ２６ａを電子機器３８ａに着脱可能に容易に接続することができる。本実施形態の複合電子機器は、第１筐体１０を第２筐体２５に着脱可能に接合するための接合部３４および接合部３５を有しており、接合部３４は第１筐体１０に設けられており、接合部３５は第２筐体２５に設けられている。しかしながら、第１筐体１０を第２筐体２５に着脱可能に接合する接合部は、その形状によって、第１筐体１０および第２筐体２５の少なくとも一方に設けられていても良い。
【００５７】
また、本実施形態の複合電子機器では、第２筐体２５にスロット２８ａが設けられており、スロット２８ａにスピーカーカートリッジ２６ａが挿入されている。これにより、複合電子機器の外観を良くすることができる。
【００５８】
また、本実施形態の複合電子機器では、第２開口および第１コネクタ２０は、スロット２８の内部に位置しており、第１開口２２は、スピーカーカートリッジ２６がスロット２８に挿入された状態で外部空間に露出している。これにより、第１開口２２と外部空間とを接続する導音部が不要になるとともに、スピーカーカートリッジ２６ａと、電子機器３８ａとの、機械的および電気的接続が容易になり、スピーカーカートリッジ２６ａと電子機器３８ａとの接続信頼性を高めることもできる。但し、例えば、音響に対する影響が非常に小さい、例えば金網のような、メッシュ状のものによって、第１開口２２が被覆されていても構わない。
【００５９】
また、本実施形態において、互いに反対の方向を第１方向および第２方向とすると、第１コネクタ２０は、第１筐体１０における第１方向（−ｘ方向）の端部に設けられており、第１開口２２は、第１筐体１０における第２方向（＋ｘ方向）の端部に設けられている。これにより、スピーカーカートリッジ２６ａは、−ｘ方向側端部を電子機器３８ａに接続したときに、第１開口２２を容易に外部空間へ露出することができる。
【００６０】
また、本実施形態において、スピーカーカートリッジ２６ａの第１筐体１０に接合部３４が設けられている。よって、スピーカーカートリッジ２６ａは、第１筐体１０への着脱が容易である。
【００６１】
また、本実施形態において、電子機器３８は、電子回路６０と、電子回路６０に接続された第２コネクタ３０と、第２筐体２５と、を有している。また、電子機器３８は、第３空間３１と、第３開口３２と、を有している。第３空間３１は、第２筐体２５で囲まれた空間である。第３開口３２は、第２筐体２５における第３空間３１に接する部分に設けられている。これにより、第１コネクタ２０が第２コネクタ３０に接続され、第２開口が第３開口３２に接続されるようにスピーカーカートリッジ２６ａを取り付けることにより、音質が良好で音圧が高い音響を容易に外部空間へ放射することができる。
【００６２】
また、本実施形態において、電子機器３８ａは、第３開口を取り囲む遮音部材３３が第２筐体２５に設けられており、遮音部材３３は、第２筐体２５を構成する材料よりも弾性率が小さい材料を用いて構成されている。これにより、電子機器３８ａにスピーカーカートリッジ２６ａを取り付けたときに、振動体１２ａの第２主面１２ｃ側で発生する音響が外部空間へ漏洩するのを防止することができる。
【００６３】
また、本実施形態において、電子機器３８ａは、第２筐体２５に接合部３５が設けられている。これにより、電子機器３８ａにスピーカーカートリッジ２６ａを着脱可能に接続することが容易である。
【００６４】
なお、本実施形態の複合電子機器は、他の種々の構成および機能を有していても構わない。例えば、アンテナや通信回路を有し、通信機能を有していても構わない。また、画像処理回路や表示装置を有し、動画や静止画を表示する機能を有していても構わない。また、演算回路や、入力装置、出力装置等を有し、命令された処理を実行してその結果を表示する機能を有していても構わない。すなわち、本実施形態の複合電子機器は、テレビ、ラジオ、オーディオ機器、パソコン、タブレット端末などであっても構わない。またさらに、本実施形態の複合電子機器は、音響や音声を発生させる機能を有する、掃除機，洗濯機，冷蔵庫，電子レンジ等の種々の電子機器であっても構わない。
【００６５】
（第５実施形態）
図１６は、本発明の第５実施形態の複合電子機器を模式的に示す、＋ｚ方向側から見た平面図である。なお、本実施形態においては、前述した第４実施形態の複合電子機器と異なる点について説明し、同様の構成要素には同一の参照符号を付して重複する説明を省略する。
【００６６】
本実施形態の複合電子機器は、電子機器３８ｂと、スピーカーカートリッジ２６ａと、スピーカーカートリッジ２６ｂとを有している。電子機器３８ｂは、スロット２８ｂをさらに有していることを除いて、前述した第４実施形態における電子機器３８ａと同じ構造を有している。スピーカーカートリッジ２６ｂは、スピーカーカートリッジ２６ａと同じものであり、ｚ軸の回りに１８０°回転させた状態となっている。スロット２８ｂは、スロット２８ａと同じ構造を有しており、ｚ軸の回りに１８０°回転させた状態となっている。そして、スロット２８ｂにスピーカーカートリッジ２６ｂが挿入されている。
【００６７】
スロット２８ｂは、第２筐体２５の−ｘ方向の端部に形成されており、−ｘ方向側からスピーカーカートリッジ２６ｂが挿入されている。そして、スロット２８ｂの内部に設けられた第２コネクタ３０に、スピーカーカートリッジ２６ｂの第１コネクタ２０が接続されている。なお、スピーカーカートリッジ２６ｂの−ｘ方向側の端部は、スロット２８ｂの開口から電子機器３８ｂの外部に露出しており、スピーカーカートリッジ２６ｂの−ｘ方向側の端部に設けられた第１開口（開口２２ａおよび開口２２ｂ）も電子機器３８ｂの外部に露出している。
【００６８】
スロット２８ｂの内部に設けられた第２コネクタ３０も、図示せぬ配線によって電子回路６０に接続されている。そして、電子回路６０からの電気信号は、スピーカーカートリッジ２６ｂの励振器１１にも供給され、振動体１２ａの第２主面１２ｃ側で発生した音響が、スピーカーカートリッジ２６ｂの第１開口（開口２２ａおよび開口２２ｂ）から外部空間へ放射される。
【００６９】
このような構成を有する本実施形態の複合電子機器は、電子機器３８ｂの＋ｘ方向の端部に配置されたスピーカーカートリッジ２６ａと、電子機器３８ｂの−ｘ方向の端部に配置されたスピーカーカートリッジ２６ｂとの、両方から音響を発生させることができる。これにより、ステレオ再生が可能になるとともに、大きく臨場感にあふれる音響を発生させることができる。
【００７０】
（第６実施形態）
図１７は、本発明の第６実施形態の複合電子機器を模式的に示す、＋ｚ方向側から見た平面図である。なお、本実施形態においては、前述した第４実施形態の複合電子機器と異なる点について説明し、同様の構成要素には同一の参照符号を付して重複する説明を省略する。
【００７１】
本実施形態の複合電子機器は、図１７に示すように、電子機器３８ｃと、スピーカーカートリッジ２６ｃとを有している。スピーカーカートリッジ２６ｃは、前述した第３実施形態のスピーカーカートリッジである。電子機器３８ｃは、第２筐体２５の＋ｘ方向の端部の＋ｚ方向側に切り欠き部２７ａが形成されていることを除いて、前述した第４実施形態における電子機器３８ａと同じ構造を有している。
【００７２】
本実施形態の複合電子機器は、図１７に示すように、電子機器３８ｃのスロット２８ａにスピーカーカートリッジ２６ｃが挿入されている。そして、スピーカーカートリッジ２６ｃの第１開口２２ｃが、切り欠き部２７ａを介して電子機器３８ｃの外部に露出している。
【００７３】
スピーカーカートリッジ２６ｃは、＋ｘ方向側からスロット２８ａに挿入されている。そして、スロット２８ａの内部に設けられた第２コネクタ３０に、スピーカーカートリッジ２６ｃの第１コネクタ２０が接続されている。そして、電子回路６０からの電気信号がスピーカーカートリッジ２６ｃの励振器１１に供給され、振動体１２ａの第１主面１２ｂ側で発生した音響が、スピーカーカートリッジ２６ｃの第１開口２２ｃから外部空間へ放射される。
【００７４】
このような構成を有する本実施形態の複合電子機器は、スピーカーカートリッジ２６ｃの第１開口２２ｃが、電子機器３８ｃの＋ｚ方向側の表面に露出しているので、複合電子機器から発生する音響の＋ｚ方向側における音圧を高くすることができる。
【００７５】
なお、本実施形態のスピーカーカートリッジでは、スピーカーカートリッジ２６ｃの第１開口２２ｃが、切り欠き部２７ａを介して外部空間に露出する例を示したが、これに限定されるものではない。例えば、スピーカーカートリッジ２６ｃのスロット２８ａへの挿入深さを小さくして、第１開口２２ｃが電子機器３８ｃの＋ｘ方向の端部から突出するようにしても良い。
【００７６】
（第７実施形態）
図１８は、本発明の第７実施形態の複合電子機器を模式的に示す、＋ｚ方向側から見た平面図である。なお、本実施形態においては、前述した第６実施形態の複合電子機器と異なる点について説明し、同様の構成要素には同一の参照符号を付して重複する説明を省略する。
【００７７】
本実施形態の複合電子機器は、図１８に示すように、電子機器３８ｄと、スピーカーカートリッジ２６ｃと、スピーカーカートリッジ２６ｄとを有している。電子機器３８ｄは、スロット２８ｂおよび切り欠き部２７ｂをさらに有していることを除いて、前述した第６実施形態における電子機器３８ｃと同じ構造を有している。スピーカーカートリッジ２６ｄは、スピーカーカートリッジ２６ｃと同じものであり、ｚ軸の回りに１８０°回転させた状態となっている。スロット２８ｂは、スロット２８ａと同じ構造を有しており、ｚ軸の回りに１８０°回転させた状態となっている。そして、スロット２８ｂにスピーカーカートリッジ２６ｄが挿入されている。切り欠き部２７ｂは、第２筐体２５の−ｘ方向の端部の＋ｚ方向側に形成されており、スピーカーカートリッジ２６ｄの第１開口２２ｃが、切り欠き部２７ｂを介して外部空間に露出している。
【００７８】
スピーカーカートリッジ２６ｄは、−ｘ方向側からスロット２８ｂに挿入されている。そして、スロット２８ｂの内部に設けられた第２コネクタ３０に、スピーカーカートリッジ２６ｄの第１コネクタ２０が接続されている。そして、電子回路６０からの電気信号がスピーカーカートリッジ２６ｄの励振器１１にも供給され、振動体１２ａの第１主面１２ｂ側で発生した音響が、スピーカーカートリッジ２６ｄの第１開口２２ｃから外部空間へ放射される。
【００７９】
このような構成を有する本実施形態の複合電子機器は、＋ｘ方向の端部に配置されたスピーカーカートリッジ２６ｃと、−ｘ方向の端部に配置されたスピーカーカートリッジ２６ｄとの、両方から音響を発生させることができる。これにより、ステレオ再生が可能になるとともに、大きく臨場感にあふれる音響を発生させることができる。
【００８０】
（第８実施形態）
図１９は、本発明の第８実施形態の複合電子機器を模式的に示す、＋ｚ方向側から見た平面図である。図２０は、本発明の第８実施形態の複合電子機器の一部分を模式的に示す断面図である。なお、本実施形態においては、前述した第４実施形態の複合電子機器と異なる点について説明し、同様の構成要素には同一の参照符号を付して重複する説明を省略する。本実施形態の複合電子機器は、図１９，図２０に示すように、電子機器３８ｅと、スピーカーカートリッジ２６ｅとを有している。
【００８１】
電子機器３８ｅは、電子機器３８ａと殆ど同じ構造を有している。電子機器３８ｅが電子機器３８ａと異なる点は、スロット２８ａの代わりに凹部２９を有している点と、第２コネクタ３０および接合部３５の位置と、遮音部材３３を有していない点と、のみである。凹部２９は、電子機器３８ｅの第２筐体２５のｘ軸方向側の端部の＋ｚ方向側に設けられている。第２コネクタ３０および接合部３５は、第２筐体２５の凹部２９が形成された部分の＋ｚ方向側の表面に配置されている。
【００８２】
スピーカーカートリッジ２６ｅは、スピーカーカートリッジ２６ａと殆ど同じ構造を有している。スピーカーカートリッジ２６ｅがスピーカーカートリッジ２６ａと異なる点は、遮音部材３７有している点と、第１コネクタ２０および接合部３４の位置と、のみである。接合部３４および第１コネクタ２０は、第１筐体１０の−ｚ方向側の表面に配置されている。また、遮音部材３７は、第１筐体１０の−ｚ方向側の表面に、複数の貫通孔２３で構成された第２開口を取り囲むように設けられている。遮音部材３７は、前述した遮音部材３３と同様の形状および材質を有しており、遮音部材３３と同様の効果を発揮する。
【００８３】
そして、スピーカーカートリッジ２６ｅは、＋ｘ方向側から電子機器３８ｅ凹部２９に嵌め込まれている。そして、凹部２９に設けられた接合部３５にスピーカーカートリッジ２６ｅの接合部３４が接合されているとともに、凹部２９に設けられた第２コネクタ３０に、スピーカーカートリッジ２６ｅの第１コネクタ２０が接続されている。そして、電子回路６０からの電気信号がスピーカーカートリッジ２６ｅの励振器１１に供給され、振動体１２ａの第１主面１２ｂ側で発生した音響が、スピーカーカートリッジ２６ｅの第１開口（開口２２ａおよｂ開口２２ｂ）から外部空間へ放射される。このように、本実施形態の複合電子機器も、前述した第４実施形態の複合電子機器と同様に機能する。
【００８４】
本実施形態の複合電子機器では、電子機器３８ｅの第２筐体２５に凹部２９が設けられており、スピーカーカートリッジ２６ｅの第１筐体１０の少なくとも一部が凹部２９に嵌め込まれている。これにより、スピーカーカートリッジ２６ｅが装着されていることを外観から確認することができるとともに、スピーカーカートリッジ２６ｅが外側へ大きく突出するのを防止することができる。
【００８５】
また、本実施形態において、スピーカーカートリッジ２６ｅの第２開口を取り囲む遮音部材３７が第１筐体１０に設けられており、遮音部材３７は、第１筐体１０を構成する材料よりも弾性率が小さい材料を用いて構成されている。これにより、電子機器３８ｅにスピーカーカートリッジ２６ｅを取り付けたときに、振動体１２ａの第２主面１２ｃ側で発生する音響が外部空間へ漏洩するのを防止することができる。
【００８６】
（変形例）
本発明は上述した実施形態に限定されるものではなく、本発明の要旨を逸脱しない範囲において種々の変更，改良が可能である。
【００８７】
例えば、前述した実施形態においては、励振器１１として圧電素子を用いた例を示したが、これに限定されるものではない。励振器１１は、電気信号を機械的振動に変換する機能を有していればよく、電気信号を機械的振動に変換する機能を有する他のものを励振器１１として用いても構わない。例えば、スピーカーを振動させる励振器としてよく知られた、動電型の励振器や、静電型の励振器や、電磁型の励振器を励振器１１として用いても構わない。なお、動電型の励振器は、永久磁石の磁極の間に配置されたコイルに電流を流してコイルを振動させるようなものであり、静電型の励振器は、向き合わせた２つの金属板にバイアスと電気信号とを流して金属板を振動させるようなものであり、電磁型の励振器は、電気信号をコイルに流して薄い鉄板を振動させるようなものである。
【００８８】
また、前述した実施形態においては、フィルム１２の表面に１個の励振器１１が取り付けられた例を示したが、これに限定されるものではない。例えば、フィルム１２の表面に２個以上の励振器を取り付けても構わない。
【実施例】
【００８９】
次に、本発明の具体例について説明する。図１６に示した第５実施形態の複合電子機器を作製して、その特性を評価した。【００９０】
まず、Ｚｒの一部をＳｂで置換したチタン酸ジルコン酸鉛（ＰＺＴ）を含有する圧電粉末と、バインダーと、分散剤と、可塑剤と、溶剤とをボールミル混合により混練してスラリーを作製した。そして、得られたスラリーを用いてドクターブレード法によりグリーンシートを作製した。このグリーンシートにＡｇおよびＰｄを含有する導体ペーストをスクリーン印刷法により所定形状に塗布して、内部電極層となる導体パターンを形成した。そして、導体パターンが形成されたグリーンシートおよびその他のグリーンシートを積層して加圧し、積層成形体を作製した。そして、この積層成形体を５００℃で１時間、大気中で脱脂し、その後、１１００℃で３時間、大気中で焼成して、積層体を得た。【００９１】
次に、得られた積層体の長手方向の両端面部をダイシング加工によりカットし、内部電極層の先端を積層体の側面に露出させた。そして、積層体の両側主面にＡｇとガラスを含有する導体ペーストをスクリーン印刷法により塗布して、表面電極層を形成した。その後、積層体の長手方向の両側面に、Ａｇとガラスを含有する導体ペーストをディップ法により塗布し、７００℃で１０分間、大気中で焼き付けて端子電極を形成した。これによって、積層体を作製した。作製された積層体の形状は、幅が１４ｍｍであり、長さが３６ｍｍであり、厚みが０．１ｍｍであった。そして、端子電極を通して１００Ｖの電圧を２分間加えて分極を行い、バイモルフ型の積層型圧電素子である励振器１１を得た。【００９２】
次に、厚み２５μｍのＰＥＴからなるフィルム１２を準備し、張力を与えた状態でフレーム１４ａおよびフレーム１４ｂに固定した。フレーム１４ａは、厚さ０．３ｍｍで、フレーム１４ｂは、厚さ０．５ｍｍのステンレス製のものを用いた。フレーム１４ａおよびフレーム１４ｂの内側のフィルム１２の寸法は、長さが６０ｍｍで、幅が３０ｍｍとした。そして、固定されたフィルム１２の一方主面に接着剤にて励振器１１を接着し、励振器１１に配線を接続した。そして、フレーム１４ａの内側に、フレーム１４ａと同じ高さとなるようにアクリル系樹脂を充填して固化させて、樹脂層１３を形成した。【００９３】
次に予め準備したスペーサー１５，スペーサー１６，パネル１７およびパネル１８を用いて第１筐体１０を形成した。スペーサー１５およびスペーサー１６は、厚み１ｍｍのステンレス製のものを用いて形成した。パネル１７およびパネル１８は、厚み１ｍｍのアクリル板を用いて形成した。パネル１８に形成した複数の貫通孔２３は、それぞれ直径１ｍｍの円形とした。第１筐体１０の外形は、長さが６５ｍｍで幅が３５ｍｍの直方体状とした。フレーム１４ａ，フレーム１４ｂ，スペーサー１５，スペーサー１６，パネル１７およびパネル１８の接合には両面テープを使用した。このようにして、スピーカーカートリッジ２６ａおよびスピーカーカートリッジ２６ｂを作製した。【００９４】
次に、図１６に示す電子機器３８ｂの第２筐体２５を、アクリル板を用いて形成し、第２筐体２５に形成したスロット２８ａにスピーカーカートリッジ２６ａを挿入し、スロット２８ｂにスピーカーカートリッジ２６ｂを挿入した。第２筐体２５の形状は、長さが２６０ｍｍで、幅が１８０ｍｍで、厚さが１０ｍｍの直方体状とした。アクリル板同士の接合には両面テープを使用した。【００９５】
そして、スピーカーカートリッジ２６ａおよびスピーカーカートリッジ２６ｂの励振器１１に実効値７Ｖのサイン波を与え、第２筐体２５の＋ｚ方向側の表面の中央から、＋ｚ方向に２５ｃｍ離れた位置における音圧の周波数特性を測定した。その結果を図２１に示す。【００９６】
図２１に示すグラフにおいて、横軸は周波数を示し、縦軸は音圧レベルを示している。図２１に示すグラフによれば、広い周波数において音圧レベルが高く、且つ音圧レベルの周波数特性が平坦であり、歪みが小さい良好な音質であることが判る。これにより本発明の有効性が確認できた。
【符号の説明】
【００９７】
１０：第１筐体
１１：励振器
１２ａ：振動体
２０：第１コネクタ
２１ａ：第１空間
２１ｂ：第２空間
２２，２２ａ，２２ｂ，２２ｃ：第１開口
２３：貫通孔
２５：第２筐体
２６ａ，２６ｂ，２６ｃ，２６ｄ，２６ｅ：スピーカーカートリッジ
２８ａ，２８ｂ：スロット
２９：凹部
３０：第２コネクタ
３１：第３空間
３３，３７：遮音部材
３４：接合部
３５：接合部
３８ａ，３８ｂ，３８ｃ，３８ｄ，３８ｅ：電子機器
６０：電子回路
【図２】
2015115608.tif 000003
【図３】
2015115608.tif 000004
【図４】
2015115608.tif 000005
【図５】
2015115608.tif 000006
【図６】
2015115608.tif 000007
【図７】
2015115608.tif 000008
【図９】
2015115608.tif 000009
【図１２】
2015115608.tif 000010
【図１３】
2015115608.tif 000011
【図１４】
2015115608.tif 000012
【図１５】
2015115608.tif 000013
【図１６】
2015115608.tif 000014
【図１７】
2015115608.tif 000015
【図１８】
2015115608.tif 000016
【図１９】
2015115608.tif 000017
【図２０】
2015115608.tif 000018
【図２１】
2015115608.tif 000019
【図１】
2015115608.tif 000020
【図８】
2015115608.tif 000021
【図１０】
2015115608.tif 000022
【図１１】
2015115608.tif 000023
【国際調査報告】
2015115608.tif 000024
2015115608.tif 000025
2015115608.tif 000026
2015115608.tif 000027